(57)【要約】【課題】高解像度画像を分割して合成処理を行っても、再合成された１つの高解像度画像が連続性のある合成処理動作が出来る画像データ処理装置を提供する。【解決手段】２つの圧縮画像を生成する画像圧縮部２と、１枚の圧縮合成画像を生成する画像データ処理部と圧縮合成画像をｎ×ｍ倍に拡大して水平・垂直アドレスを求めるアドレス生成部８と、水平・垂直アドレスを用いて２つの高解像度画像の水平・垂直アドレスを指定しそれぞれ同じＨＤＴＶ相当のｎ×ｍ個の分割画像を生成する分割画像生成部７と、１の分割画像の切取り部分画像の切り取り位置での水平・垂直アドレスに連続する他の分割画像から切り取った切取り部分画像とを合成してｎ×ｍ個の分割合成画像を生成する合成処理部９と、ｎ×ｍ個の分割合成画像を合成して１つの高解像度合成画像を得る合成部１０と、１つの高解像度合成画像を表示させる高解像度画像表示部１１と、を備える。【選択図】      図１
2008085474.tif 000002
【特許請求の範囲】
【請求項１】
高精細度テレビジョン（以下ＨＤＴＶと称する）画像のｎ（ｎは２以上の整数）倍の水平方向の解像度とｍ（ｍは２以上の整数）倍の垂直方向の解像度を有する高解像度画像を２枚用い、一方の高解像度画像から切り取った部分画像と他方の高解像度画像から切り取った部分画像とを連続するように合成して１枚の高解像度合成画像を生成する画像データ処理装置において、
前記２つの高解像度画像の解像度をそれぞれ水平方向に１／ｎ、垂直方向に１／ｍに圧縮してそれぞれ前記ＨＤＴＶ画像と同じ大きさの２つの圧縮画像を生成する画像圧縮部と、
前記２つの圧縮画像の対応する一端の同じ水平・垂直アドレス位置から所定の水平・垂直アドレス位置までの範囲を一方の圧縮画像から切り取って第１部分画像を生成し、前記所定の水平・垂直アドレス位置から他端の同じ水平・垂直アドレス位置までの範囲を他方の圧縮画像から切り取って第２部分画像を生成し、これを合成して１枚の前記ＨＤＴＶ画像と同じ大きさの圧縮合成画像を生成する画像データ処理部と、
前記圧縮合成画像をｎ×ｍ倍に拡大して拡大圧縮合成画像を生成し、この拡大圧縮合成画像の水平・垂直アドレスを求めるアドレス生成部と、
前記拡大圧縮合成画像の水平・垂直アドレスを用いて前記２つの高解像度画像の水平・垂直アドレスを指定した後、前記２つの高解像度画像をそれぞれ水平方向にｎ分割、垂直方向にｍ分割してそれぞれ前記ＨＤＴＶ画像と同じ大きさのｎ×ｍ個の分割画像を生成する分割画像生成部と、
前記ｎ×ｍの分割画像のうちの１の分割画像の切取り部分画像と前記切取り部分画像の切り取り位置での水平・垂直アドレスに連続する他の分割画像から切り取った切取り部分画像とを合成した合成分割画像を前記ｎ×ｍ個生成する合成処理部と、
前記ｎ×ｍ個の合成分割画像を合成して前記１枚の高解像度合成画像を得る合成部と、
前記合成部で合成された前記１枚の高解像度合成画像を表示させる高解像度画像表示部と、
を備えたことを特徴とする画像データ処理装置。
【発明の詳細な説明】
【技術分野】
【０００１】
本発明は、"高精細度テレビジョン放送" 高精細度テレビジョン（Ｈｉｇｈ  Ｄｅｆｉｎｉｔｉｏｎ  ｔｅｌｅｖｉｓｉｏｎ／ＨＤＴＶ）画像を超える解像度を有する高解像度画像を、高精細度テレビジョン画像に用いられる合成処理装置を用いて、複数の高解像度画像を１つの高解像度画像にリアルタイムで合成処理する、画像データ処理装置に関するものである。
【背景技術】
【０００２】
特許文献１に記載されているように、従来の高精細度テレビジョン（以下ＨＤＴＶと称する）画像を超える解像度を有する高解像度画像の画像データ処理装置は、汎用の合成処理装置を使用するために、高解像度画像を複数のＨＤＴＶ画像に分割した後、このＨＤＴＶ画像用の合成処理装置を用いて、分割した複数のＨＤＴＶ画像の合成処理を並列に行い、この並列に合成処理された複数のＨＤＴＶ画像を、再び高解像度画像に合成していた。
図８は、従来の画像データ処理装置を示す図である。
【０００３】
図８に示すように、従来の画像データ処理装置は、高解像度画像の合成処理を行う高解像度画像データ処理部１００と、ＨＤＴＶ画像の合成処理を行う画像データ処理部１０３と、から構成される。
【０００４】
高解像度画像データ処理部１００は、２つの高解像度画像を入力してそれぞれがＨＤＴＶ画像となる複数の分割画像に分割する分割部１０１と、分割されたそれぞれの複数の分割画像の中からそれぞれ１つずつの分割画像を選択する分割画像選択部１０２と、選択されたそれぞれ１つずつの分割画像を組み合わせて画像データ処理部１０３で生成された合成処理情報に基づく合成処理を行い複数の分割合成画像を生成する分割画像合成処理部１０７と、生成された複数の分割合成画像を更に合成して１つの高解像度画像となる合成画像を生成する再合成部１０８と、生成された合成画像を表示する高解像度画像表示部１０９と、からなる。
【０００５】
画像データ処理部１０３は、図示していない操作卓によりＨＤＴＶ画像を合成処理するアドレスを指定して合成処理用の制御信号を生成する操作部１０４と、分割画像選択部１０２で選択された分割画像を操作部１０４で生成された制御信号に基づいて合成処理された分割合成画像及び合成処理情報を生成する合成処理部１０５と、合成処理部１０５で生成された分割合成画像を表示する表示部１０６と、からなる。
【０００６】
次に、従来の画像データ処理装置の動作を説明する。
従来のＨＤＴＶ画像を超える解像度を有する高解像度画像を表示装置に表示する場合、そのまま高解像度画像をＨＤＴＶ画像と同じ走査速度で表示装置に表示すると時間がかかるため、高解像度画像を複数のＨＤＴＶ画像に分割した分割画像の走査速度をＨＤＴＶ画像と同じにし、表示時にこの分割した画像の表示位置を高解像度画像の画像配置に揃えて並列に表示することにより、表示する時間がＨＤＴＶと同じでＨＤＴＶ画像を超える解像度の高解像度画像の表示を行っていた。
【０００７】
合成処理を行う場合は、この分割した画像を用いて合成処理を行う。
まず、図９に示すように、水平方向と垂直方向にそれぞれＨＤＴＶ画像の２倍の解像度を有する２つの高解像度画像（画像Ｒと画像Ｓ）を、それぞれＨＤＴＶ画像と同じ解像度の画像になるよう図８に示すように画像ＲをＲ０〜Ｒ３の配列に分割して複数の分割画像とし、同時に、画像Ｒを分割した配列と同様の配列に画像Ｓを分割してＳ０〜Ｓ３の分割画像とする分割を分割部１０１で行い、１つの高解像度画像が４つのＨＤＴＶ画像からなる分割画像とする。
【０００８】
そして、図１０に示すように、分割部１０１で分割された全ての分割画像に同じアドレスを付加する。すなわち、水平方向にはＨＤＴＶ画像の水平解像度に相当するＨｍａｘ（＝１９２０）、垂直方向にはＨＤＴＶ画像の垂直解像度に相当するＶｍａｘ（＝１０８０）をそれぞれ最大とするアドレスを付加する。
【０００９】
そして、分割画像選択部１０２で、画像Ｒと画像Ｓの分割画像から同じ配列の配置位置にある分割画像（例えばＲ０とＳ０）を選択して分割画像Ｇと分割画像Ｈとする。この分割画像Ｇと分割画像Ｈとを合成処理部１０５で合成処理を行い、分割合成画像Ｉを生成して表示部１０６に表示する。
【００１０】
合成処理部１０５では合成処理を行いながら合成処理情報を生成して分割画像合成処理部１０７へ供給する。この供給された合成処理情報により分割画像合成処理部１０７では画像Ｒと画像Ｓの分割画像に対して合成処理を合成処理部１０５の分割画像Ｇと分割画像Ｈの合成処理と平行して同時に行い、複数の分割合成画像を生成する。
この生成された複数の分割合成画像を再合成部１０８で更に合成して１つの高解像度画像として高解像度画像表示部１０９で表示する。
【００１１】
図１１に合成処理（ワイプ）を画像の水平方向に行う場合を示す。
図１１（Ａ）は合成処理を行うアドレスＨｘの位置で画像を仕切って、画像Ｒの分割画像Ｒ０〜Ｒ３をアドレス０〜Ｈｘの分割画像（Ｒ００、Ｒ０１）〜（Ｒ３０、Ｒ３１）及び画像Ｓの分割画像Ｓ０〜Ｓ３をアドレスＨｘ＋１〜Ｈｍａｘの分割画像（Ｓ００、Ｓ０１）〜（Ｓ３０、Ｓ３１）としたものである。
そして、図１１（Ｂ）に示すように、画像Ｒの分割画像（Ｒ００、Ｒ０１）〜（Ｒ３０、Ｒ３１）及び画像Ｓの分割画像（Ｓ００、Ｓ０１）〜（Ｓ３０、Ｓ３１）が分割画像合成処理部１０７で合成処理されると、アドレスＨｘを境界として画像Ｒと画像Ｓのそれぞれの分割合成画像（Ｒ００、Ｓ０１）〜（Ｒ３０、Ｓ３１）に合成処理される。
この合成処理された分割合成画像（Ｒ００、Ｓ０１）〜（Ｒ３０、Ｓ３１）を再合成部１０８で、図１１（Ｃ）に示される配列に再合成されて画像Ｒと画像Ｓの合成処理された１つの高解像度画像とする。
【００１２】
このように、従来のＨＤＴＶ画像を超える解像度を有する高解像度画像を表示装置に表示する場合、表示速度を早くしなければならず、実現が困難なため、高解像度画像を複数のＨＤＴＶ画像に分割して表示速度をＨＤＴＶ画像と同じとして、この分割した画像の表示位置を高解像度画像の画像配置に揃えて表示することにより、表示速度がＨＤＴＶと同じでＨＤＴＶ画像を超える解像度の高解像度画像表示を行っていた。
そして、従来は、ＨＤＴＶ画像と表示速度が同じ分割画像の合成処理を行う画像データ処理部１０３により、２つの高解像度画像を１つの高解像度画像に合成処理をしていた。
【特許文献１】特開平７−４６４４１号公報
【発明の開示】
【発明が解決しようとする課題】
【００１３】
しかしながら、上述したように、従来のＨＤＴＶ画像を超える解像度を有する高解像度画像を表示装置に表示する場合、表示速度を早くしなければならず、具体的な実現が困難なため、高解像度画像を複数のＨＤＴＶ画像に分割して表示速度をＨＤＴＶ画像と同じにして、この分割した画像の表示位置を高解像度画像の画像配置に揃えて表示することにより、表示速度がＨＤＴＶと同じでＨＤＴＶ画像を超える解像度の高解像度画像表示を行っており、合成処理をする場合は、この高解像度画像を分割した複数の分割画像をＨＤＴＶ画像と同じ速度で同時に同じ合成処理動作をさせるので、例えば、合成処理を右から左へ連続して行おうとしても、図１１（Ｂ）の分割画像の合成処理では連続になっても、図１１（Ｃ）に示されるように再合成された１つの高解像度画像では、分割画像のＲ００とＲ１０の間が空いてしまい連続性のある合成処理動作が出来ないと言う問題点があった。
【００１４】
そこで、本発明は、上記のような問題点を解消するためになされたもので、高解像度画像を分割して複数の分割画像の合成処理を行っても、再合成された１つの高解像度画像が連続性のある合成処理動作を得ることが出来る、画像データ処理装置を提供することを目的とする。
【課題を解決するための手段】
【００１５】
本願発明における第１の発明は、高精細度テレビジョン（以下ＨＤＴＶと称する）画像のｎ（ｎは２以上の整数）倍の水平方向の解像度とｍ（ｍは２以上の整数）倍の垂直方向の解像度を有する高解像度画像を２枚用い、一方の高解像度画像から切り取った部分画像と他方の高解像度画像から切り取った部分画像とを連続するように合成して１枚の高解像度合成画像を生成する画像データ処理装置において、前記２つの高解像度画像の解像度をそれぞれ水平方向に１／ｎ、垂直方向に１／ｍに圧縮してそれぞれ前記ＨＤＴＶ画像と同じ大きさの２つの圧縮画像を生成する画像圧縮部と、前記２つの圧縮画像の対応する一端の同じ水平・垂直アドレス位置から所定の水平・垂直アドレス位置までの範囲を一方の圧縮画像から切り取って第１部分画像を生成し、前記所定の水平・垂直アドレス位置から他端の同じ水平・垂直アドレス位置までの範囲を他方の圧縮画像から切り取って第２部分画像を生成して、これを合成して１枚の前記ＨＤＴＶ画像と同じ大きさの圧縮合成画像を生成する画像データ処理部と、前記圧縮合成画像をｎ×ｍ倍に拡大して拡大圧縮合成画像を生成し、この拡大圧縮合成画像の水平・垂直アドレスを求めるアドレス生成部と、前記拡大圧縮合成画像の水平・垂直アドレスを用いて前記２つの高解像度画像の水平・垂直アドレスを指定した後、前記２つの高解像度画像をそれぞれ水平方向にｎ分割、垂直方向にｍ分割してそれぞれ前記ＨＤＴＶと同じ大きさのｎ×ｍ個の分割画像を生成する分割画像生成部と、前記ｎ×ｍの分割画像のうちの１の分割画像の切取り部分画像と前記切取り部分画像の切り取り位置での水平・垂直アドレスに連続する他の分割画像から切り取った切取り部分画像とを合成して前記ｎ×ｍ個の合成分割画像を生成する合成処理部と、前記ｎ×ｍ個の合成分割画像を合成して前記１枚の高解像度合成画像を得る合成部と、前記合成部で合成された前記１枚の高解像度合成画像を表示させる高解像度画像表示部と、を備えたことを特徴とする画像データ処理装置を提供するものである。
【発明の効果】
【００１６】
本発明の画像データ処理装置によれば、高精細度テレビジョン（以下ＨＤＴＶと称する）画像のｎ（ｎは２以上の整数）倍の水平方向の解像度とｍ（ｍは２以上の整数）倍の垂直方向の解像度を有する高解像度画像を２枚用い、一方の高解像度画像から切り取った部分画像と他方の高解像度画像から切り取った部分画像とを連続するように合成して１枚の高解像度合成画像を生成する画像データ処理装置において、２つの高解像度画像の解像度をそれぞれ水平方向に１／ｎ、垂直方向に１／ｍに圧縮してそれぞれＨＤＴＶ画像と同じ大きさの２つの圧縮画像を生成する画像圧縮部と、２つの圧縮画像の対応する一端の同じ水平・垂直アドレス位置から所定の水平・垂直アドレス位置までの範囲を一方の圧縮画像から切り取って第１部分画像を生成し、所定の水平・垂直アドレス位置から他端の同じ水平・垂直アドレス位置までの範囲を他方の圧縮画像から切り取って第２部分画像を生成して、これを合成して１枚の前記ＨＤＴＶ画像と同じ大きさの圧縮合成画像を生成する画像データ処理部と、圧縮合成画像をｎ×ｍ倍に拡大して拡大圧縮合成画像を生成し、この拡大圧縮合成画像の水平・垂直アドレスを求めるアドレス生成部と、拡大圧縮合成画像の水平・垂直アドレスを用いて２つの高解像度画像の水平・垂直アドレスを指定した後、２つの高解像度画像をそれぞれ水平方向にｎ分割、垂直方向にｍ分割してそれぞれＨＤＴＶと同じ大きさのｎ×ｍ個の分割画像を生成する分割画像生成部と、ｎ×ｍの分割画像のうちの１の分割画像の切取り部分画像と切取り部分画像の切り取り位置での水平・垂直アドレスに連続する他の分割画像から切り取った切取り部分画像とを合成してｎ×ｍ個の合成分割画像を生成する合成処理部と、ｎ×ｍ個の合成分割画像を合成して１枚の高解像度合成画像を得る合成部と、合成部で合成された１枚の高解像度合成画像を表示させる高解像度画像表示部と、を備えることにより、高解像度画像を分割して複数の分割画像の合成処理を行っても、再合成された１つの高解像度画像が連続性のある合成処理動作を得ることが出来る。
【発明を実施するための最良の形態】
【００１７】
以下に、本発明の実施形態に係る画像データ処理装置について図１〜図７を用いて説明する。
図１は、本発明の実施形態に係る画像データ処理装置の概要を示す図である。
図２は、画像データ処理装置の分割画像配置別アドレス生成部の構成を示す図である。
図３は、高解像度画像を分割するときのアドレスを示す図である。
図４は、圧縮画像と分割画像を示す図であり、（Ａ）は、圧縮画像である画像Ｃと画像Ｄのアドレスを示す図であり、（Ｂ）は、分割画像のアドレスを示す図である。
図５は、分割された画像の合成処理を説明するための第１の図であり、（Ａ）は圧縮画像を示す図であり、（Ｂ）は圧縮画像の合成処理をしている画像を示す図であり、（Ｃ）は分割画像を示す図であり、（Ｄ）は分割画像の合成処理を示す図であり、（Ｅ）は分割画像を１枚の高解像度画像として全画面合成している画像を示す図である。
図６は、分割された画像の合成処理を説明するための第２の図であり、（Ａ）は圧縮画像を示す図であり、（Ｂ）は圧縮画像の合成処理をしている画像を示す図であり、（Ｃ）は分割画像を示す図であり、（Ｄ）は分割画像の合成処理を示す図であり、（Ｅ）は分割画像を１枚の高解像度画像として全画面合成している画像を示す図である。
図７は、本発明の実施形態に係る他の画像データ処理装置の概要を示す図である。
【００１８】
図１に示すように、本発明の実施形態に係る画像データ処理装置は、高解像度画像データ処理部１と、画像データ処理部３と、から構成される。
【００１９】
高解像度画像データ処理部１では、２つの高解像度画像（画像Ａ、画像Ｂ）を、それぞれ複数のＨＤＴＶ画像となる分割画像に分割する際に、この複数の分割画像に高解像度画像の配置に基づいたアドレスを付加し、ＨＤＴＶ画像と同様の合成処理を高解像度画像の配置に基づいたアドレス処理により複数の分割合成画像を生成した後、この生成された複数の分割合成画像を１つの高解像度画像（合成画像Ｆ）として合成することにより、リアルタイムで合成処理された１つの高解像度画像を生成する。
【００２０】
この高解像度画像データ処理部１は、２つの高解像度画像の解像度をそれぞれ水平方向に１／ｎ、垂直方向に１／ｍに圧縮して圧縮画像Ｃと圧縮画像Ｄとを生成する画像圧縮部２と、２つの高解像度画像をそれぞれ水平方向にｎ分割、垂直方向にｍ分割して所定の配列からなる分割画像に配置別のアドレスを付加する分割画像配置別アドレス付加分割部７と、画像データ処理部３で行われた合成処理時のアドレス情報を水平方向にｎ倍、垂直方向にｍ倍として分割画像配置別アドレスを生成する分割画像配置別アドレス生成部８と、同じ配列位置となる画像Ａと画像Ｂとの分割画像を組み合わせ分割画像配置別アドレスに基づいて合成処理を行い複数の分割合成画像を生成する分割画像配置別合成処理部９と、分割画像配置別合成処理部９で生成された複数の分割合成画像を１つの合成画像に合成する再合成部１０と、再合成部１０で合成された１つの画像を表示する高解像度画像表示部１１と、からなる。
そして、分割画像配置別アドレス生成部８は、図２に示すように、画像データ処理部３で行われた合成処理時のアドレス情報を水平方向にｎ倍、垂直方向にｍ倍する（図ではｎ、ｍとも２としている）水平垂直アドレス乗算部８０と、水平垂直アドレス乗算部８０でそれぞれの倍率で乗算された水平方向アドレスと垂直方向アドレスの補間（２倍の乗算の場合アドレスが０、２、４、．．．と変化した場合、これを補間して０、１、２、３、４、．．．のように連続性を持たせる）を行う水平垂直アドレス補間部８１と、補間された水平垂直アドレスを分割する分割画像アドレス分配部８２と、分割されたアドレスをそれぞれの配置別の制御情報として分割画像に割り当てるアドレス分割部８３〜８５と、からなる。
【００２１】
画像データ処理部３では、高解像度画像データ処理部１の画像圧縮部２で圧縮された２つの圧縮画像（ＨＤＴＶ画像相当）の合成処理を、汎用機器（例えばＨＤＴＶ画像用の合成処理装置）を用いて行い、このときに行った合成処理の情報（合成処理情報と合成処理される２つの圧縮画像のアドレス情報）も併せて生成する。
【００２２】
画像データ処理部３は、図示していない操作卓により合成処理時のアドレス位置の指定を行い合成処理時の操作信号を生成する操作部４と、操作部４で生成された操作信号に基づいて画像圧縮部２で圧縮された２つの圧縮画像の合成処理を行って１つの合成画像（圧縮合成画像Ｅ）を生成し、かつ合成処理の情報（合成処理情報とアドレス情報）を生成する合成処理部５と、合成処理部５で合成処理された圧縮合成画像Ｅを表示する表示部６と、からなる。
【００２３】
次に、本発明の実施形態に係る画像データ処理装置の動作について、図１〜図６を用いて説明する。
図１に示すように、高解像度画像データ処理部１には図示していない撮像装置、パソコン、テレシネ等の高解像度画像生成装置から、ＨＤＴＶ画像の水平方向画素数のｎ倍、垂直方向走査線数のｍ倍（例えばｎ，ｍ＝２とすると、水平方向解像度は１９２０（Ｈｍａｘ）本×２倍＝３８４０（２Ｈｍａｘ）本、垂直方向解像度は１０８０（Ｖｍａｘ）本×２倍＝２１６０（２Ｖｍａｘ）本となる）の解像度をそれぞれ有する高解像度画像の入力画像として画像Ａと画像Ｂが供給される。
【００２４】
図３に示すように、画像Ａと画像Ｂは、水平方向アドレスを０〜２Ｈｍａｘ、垂直アドレスを０〜２Ｖｍａｘに設定される。この画像Ａと画像Ｂを画像圧縮部２では、図４（Ａ）に示すように、それぞれの画像の水平方向解像度と垂直方向解像度とをそれぞれ１／２に圧縮してＨＤＴＶの解像度（水平方向解像度１９２０本×垂直方向解像度１０８０本）に等しい圧縮画像である画像Ｃ及び画像Ｄを生成し、それぞれに水平方向アドレス０〜Ｈｍａｘ、垂直アドレス０〜Ｖｍａｘを付加しておく。
【００２５】
次に、画像データ処理部３では、高解像度画像データ処理部１の画像圧縮部２で圧縮された画像Ｃ及び画像Ｄを入力して合成処理をする。
まず、画像データ処理部３の操作部４では、入力した画像Ｃ及び画像Ｄの圧縮画像の合成処理と合成処理時のアドレス位置指定を、図示していない操作部により行い、この合成処理と圧縮画像の合成処理時のアドレス位置を示す操作信号を生成する。
【００２６】
合成処理部５では、操作部４で生成された操作信号に基づいて、画像Ｃ及び画像Ｄの合成処理を指定されたアドレス位置で行うとともに合成処理情報（合成処理情報、アドレス情報等）を生成する。
表示部６では、合成処理部５で合成処理されて１つの画像に合成された圧縮合成画像Ｅを表示する。
この表示部６に表示された圧縮合成画像Ｅを見ながら、合成処理等の合成処理をリアルタイムで監視しながら、操作部４でワイプ位置等の指定を行う。
【００２７】
次に、高解像度画像データ処理部１の分割画像配置別アドレス付加分割部７では、画像Ａと画像Ｂとを圧縮画像に等しい解像度の画像に分割する。（圧縮画像は高解像度画像の水平方向解像度と垂直方向解像度をそれぞれ１／２に圧縮したものであるから圧縮画像に等しい画素数とするためには高解像度画像の分割数を水平方向ｎ×垂直方向ｍとすればよい。ｎ，ｍ＝２としているから分割数は４となる。）
この分割画像配置別アドレス付加分割部７では、画像Ａを図４（Ｂ）に示すようにＡ０〜Ａ３に、画像ＢをＢ０〜Ｂ３にそれぞれ所定の配列で４分割された２組の分割画像とする。
さらに、図４（Ｂ）に示すように、分割画像Ａ０、Ｂ０の配置の水平方向アドレスは０〜Ｈｍａｘ、垂直方向アドレスは０〜Ｖｍａｘ、分割画像Ａ１、Ｂ１の配置の水平方向アドレスは（Ｈｍａｘ＋１）〜２Ｈｍａｘ、垂直方向アドレスは０〜Ｖｍａｘ、分割画像Ａ２、Ｂ２の配置の水平方向アドレスは（Ｈｍａｘ＋１）〜２Ｈｍａｘ、垂直方向アドレスは（Ｖｍａｘ＋１）〜２Ｖｍａｘ、分割画像Ａ３、Ｂ３の配置の水平方向アドレスは０〜Ｈｍａｘ、垂直方向アドレスは（Ｖｍａｘ＋１）〜２Ｖｍａｘと各配置別のアドレスをそれぞれ付加する。
【００２８】
そして、分割画像配置別アドレス生成部８では、２組の分割画像の合成処理を行うために、画像データ処理部３の合成処理部５で生成された合成処理時の合成処理情報を入力し、この合成処理時の合成処理情報に基づいて分割画像の合成処理時の配置別の４つの制御情報を生成する。
この制御情報としては、合成処理情報はそのまま用い、アドレス情報は水平方向アドレスをｎ倍、垂直方向アドレスをｍ倍とする。（例えば、ｎ，ｍ＝２とすると水平方向アドレスを２倍、垂直方向アドレスを２倍とする。）
そして、このアドレス情報を補間した後、配置別に分配する。１の配置は０〜Ｈｍａｘ、０〜Ｖｍａｘ、２の配置はＨｍａｘ＋１〜２Ｈｍａｘ、０〜Ｖｍａｘ、３の配置はＨｍａｘ＋１〜２Ｈｍａｘ、Ｖｍａｘ＋１〜２Ｖｍａｘ、４の配置は０〜Ｈｍａｘ、Ｖｍａｘ＋１〜２Ｖｍａｘ、にそれぞれアドレスが分配される。
【００２９】
分割画像配置別合成処理部９においては、分割画像配置別アドレス生成部８で生成された配置別の４つの制御情報により、１の配置はＡ０とＢ０、２の配置はＡ１とＢ１、３の配置はＡ２とＢ２、４の配置はＡ３とＢ３としてそれぞれの組み合わせによる配置別の分割画像合成処理を行う。この配置別の合成処理は平行して同時に行われる。
合成処理として、以下に高解像度画像の水平方向のみに合成処理を行う２つの場合の例を示す。
【００３０】
＜画面の水平方向の中央より左側の位置でワイプ（合成処理）を行う場合＞
次に、分割画像配置別合成処理部９で行う配置別の分割画像合成処理について、水平方向のみを例にとって詳細に説明する。
図５は、画面の水平方向の中央より左側の位置でワイプを行う場合を示したものである。
まず、図５（Ａ）に示すように、高解像度画像の圧縮画像である画像Ｃ及び画像Ｄの合成処理を、図示していない画像データ処理部３の操作部４の操作卓の操作に基づいて、合成処理をし、この合成処理を行う水平方向のアドレスとして、水平方向の左側の位置にある水平方向アドレスＨ０を指定した操作信号を操作部４で生成する。
そして、図５（Ｂ）に示すように、操作部４で生成した操作信号を合成処理部５に入力して、合成処理をする。合成処理は、圧縮画像の水平方向アドレスＨ０を境界として、画像Ｃは水平方向アドレス０〜Ｈ０の間を、画像Ｄは水平方向アドレス（Ｈ０＋１）〜Ｈｍａｘの間を、それぞれの画像として１つの圧縮画像に合成する。この合成処理を行うと同時に、合成処理部５では、この画像Ｃと画像Ｄの合成処理時の合成処理情報として、合成処理情報と、合成処理時の画像の境界の水平方向アドレスＨ０をアドレス情報として生成する。
合成処理部５で生成された合成処理情報から、分割画像配置別アドレス生成部８では、合成処理情報とアドレス情報とを入手して、図５（Ｃ）に示す分割画像を合成処理して図５（Ｄ）に示す画像に合成する。アドレス情報である合成処理時の境界の水平方向アドレスＨ０を分割画像の合成処理の水平方向アドレスとして用いるためには、入力画像（画像Ａもしくは画像Ｂ）の水平方向の解像度を圧縮画像の水平方向の解像度で除算した比率（３８４０本／１９２０本＝２）を乗じて２倍の水平方向アドレス２Ｈ０（２×Ｈ０を略す）とする。（もし比率が３であれば３倍の水平方向アドレス３Ｈ０とする。）
そして、図５（Ｄ）に示すように、分割画像のＡ０、Ｂ０とＡ３、Ｂ３は、水平方向アドレス２Ｈ０が０〜Ｈｍａｘの間で合成処理が行われ、分割画像のＡ１、Ｂ１とＡ２、Ｂ２については、分割画像Ｂ１とＢ２とが選択される。
この図５（Ｄ）の分割画像を再合成部１０で合成して１つの高解像度画像とすると図５（Ｅ）に示すように図５（Ｂ）の圧縮画像を合成処理した状態をそのままリアルタイムで高解像度画像に拡大したものとなる。
【００３１】
＜画面の水平方向の中央より右側の位置でワイプ（合成処理）を行う場合＞
次に、画面の水平方向の中央より右側の位置でワイプを行う場合について説明する。
図６は、画面の水平方向の中央より右側の位置でワイプを行う場合を示した図である。
まず、図６（Ａ）に示すように、高解像度画像の圧縮画像である画像Ｃ及び画像Ｄの合成処理を、図示していない画像データ処理部３の操作部４の操作卓の操作に基づいて、合成処理し、合成処理を行う水平方向のアドレスとして水平方向の中央より右側の位置にある水平方向アドレスＨ１を指定した操作信号を操作部４で生成する。
そして、図６（Ｂ）に示すように、この操作部４で生成した操作信号を合成処理部５に入力して、合成処理をする。合成処理は、水平方向アドレスＨ１を境界として行い、画像Ｃは水平方向アドレス０〜Ｈ１の間を、画像Ｄは水平方向アドレス（Ｈ１＋１）〜Ｈｍａｘの間を、それぞれの画像として１つの圧縮画像に合成する。この合成処理を行うと同時に、合成処理部５では、この画像Ｃと画像Ｄの合成処理時の合成処理情報として、合成処理情報と、合成処理時の画像の境界の水平方向アドレスＨ１をアドレス情報として生成する。
合成処理部５で生成された合成処理情報から、分割画像配置別アドレス生成部８では、合成処理情報とアドレス情報とを入手して、図６（Ｃ）に示す分割画像を合成処理して図６（Ｄ）に示す画像に合成する。アドレス情報である合成処理時の境界の水平方向アドレスＨ１を分割画像の合成処理の水平方向アドレスとして用いるためには、入力画像の水平方向の解像度を圧縮画像の水平方向の解像度で除算した比率（３８４０本／１９２０本＝２）を乗じて２倍の水平方向アドレス２Ｈ１（２×Ｈ１を略す）とする。
そして、分割画像のＡ０、Ｂ０とＡ３、Ｂ３は、図６（Ｄ）に示すように水平アドレスが０〜Ｈｍａｘなので、水平方向アドレス２Ｈ１が（Ｈｍａｘ＋１）〜２Ｈｍａｘの間にあるため合成処理が行われず、分割画像Ａ０とＡ３が選択され、分割画像のＡ１、Ｂ１とＡ２、Ｂ２は、水平アドレスが（Ｈｍａｘ＋１）〜２Ｈｍａｘなので水平方向アドレス２Ｈ１を境界とする合成処理が行われる。
この図６（Ｄ）の分割画像を再合成部１０で合成して１つの高解像度画像とすると図６（Ｅ）に示すように図６（Ｂ）の圧縮画像を合成処理した状態をそのままリアルタイムで高解像度画像に拡大したものとなる。
【００３２】
次に、分割画像合成部９で合成処理されてそれぞれが合成された複数の分割合成画像は、再合成部１０で１つの高解像度画像（合成画像Ｆ）に合成される。
そして、再合成部１０で合成された１つの高解像度画像（合成画像Ｆ）を高解像度画像表示部１１に表示する。
【００３３】
このように、分割画像の水平方向の合成処理を行う際に、圧縮画像で行われた合成処理時のアドレスに水平方向の分割数を乗じて用いれば、圧縮画像を合成処理した状態をそのままリアルタイムで高解像度画像に拡大したものとすることが出来る。
同様に、分割画像の垂直方向の合成処理を行う際にも、圧縮画像で行われた合成処理時のアドレスに垂直方向の分割数を乗じて用いれば、圧縮画像を合成処理した状態をそのままリアルタイムで高解像度画像に拡大したものとすることが出来る。従って、水平方向と垂直方向の合成処理を同時に行えば、斜め方向の合成処理をすることが出来る。
また、合成処理をする高解像度画像は、２つに限定されるものではなく、２つ以上の複数の高解像度画像を合成処理をして１つの高解像度画像としても良い。
さらに、合成処理の他に画像の特殊効果処理としては、画像のワイプ、混合、切り抜き、ぼかし等種々のものがあることが知られており、これらの画像の特殊効果処理を本発明による画像データ処理装置を応用して行うことが出来るのはもちろんである。
【００３４】
一方、図７に示すように、本発明の実施形態に係る他の画像データ処理装置２０は、図１に示す高解像度画像データ処理部１における、画像圧縮部２の代わりに分割画像選択部１２を用いて、圧縮画像の代わりに選択された分割画像を用いて画像処理を行うもので、このようにすれば、高解像度画像を圧縮せずにそのまま用いることが出来るので、詳細な画像の合成処理を汎用の機器を用いて部分確認することが可能となる。画像圧縮部２と分割画像選択部１２とを画像データ処理装置に併置して合成処理状態により切換えて用いても良いのはもちろんである。
【００３５】
以上述べてきたように、本発明の画像データ処理装置によれば、２つの高解像度画像をそれぞれ水平方向の解像度を１／ｎに、垂直方向の解像度を１／ｍに圧縮し、この圧縮した２つの圧縮画像の合成処理を行って１つの圧縮画像に合成すると共に合成処理情報を生成しておき、次に２つの高解像度画像をそれぞれ圧縮画像と同一の水平方向の解像度と、垂直方向の解像度とからなる配置別の分割画像に分割し、圧縮画像で合成処理を行う際に生成した合成処理情報に基づいて配置別の分割画像を合成処理をして複数の分割合成画像とし、この複数の分割合成画像を１つの高解像度画像として合成することにより、２つの高解像度画像をそれぞれ分割して合成処理を行っても、再合成された１つの高解像度画像の合成処理の動作に連続性を有することが出来る。
【図面の簡単な説明】
【００３６】
【図１】本発明の実施形態に係る画像データ処理装置の概要を示す図である。
【図２】画像データ処理装置の分割画像配置別アドレス生成部の構成を示す図である。
【図３】高解像度画像を分割するときのアドレスを示す図である。
【図４】圧縮画像と分割画像を示す図であり、（Ａ）は、圧縮画像である画像Ｃと画像Ｄのアドレスを示す図であり、（Ｂ）は、分割画像のアドレスを示す図である。
【図５】分割された画像の合成処理を説明するための第１の図であり、（Ａ）は圧縮画像を示す図であり、（Ｂ）は圧縮画像の合成処理をしている画像を示す図であり、（Ｃ）は分割画像を示す図であり、（Ｄ）は分割画像の合成処理を示す図であり、（Ｅ）は分割画像を１枚の高解像度画像として全画面合成している画像を示す図である。
【図６】分割された画像の合成処理を説明するための第２の図であり、（Ａ）は圧縮画像を示す図であり、（Ｂ）は圧縮画像の合成処理をしている画像を示す図であり、（Ｃ）は分割画像を示す図であり、（Ｄ）は分割画像の合成処理を示す図であり、（Ｅ）は分割画像を１枚の高解像度画像として全画面合成している画像を示す図である。
【図７】本発明の実施形態に係る他の画像データ処理装置の概要を示す図である。
【図８】従来の画像データ処理装置を示す図である。
【図９】従来の画像データ処理装置に入力される高解像度画像を示す図である。
【図１０】従来の高解像度画像を分割した分割画像を示す図である。
【図１１】従来の合成処理としての合成処理を画像の水平方向に行う場合を説明するための図である。
【符号の説明】
【００３７】
１・・・高解像度画像データ処理部、２・・・画像圧縮部、３・・・画像データ処理部、４・・・操作部、５・・・合成処理部、６・・・表示部、７・・・分割画像配置別アドレス付加分割部（分割画像生成部）、８・・・分割画像配置別アドレス生成部（アドレス生成部）、９・・・分割画像配置別合成処理部（合成処理部）、１０・・・再合成部（合成部）、１１・・・高解像度画像表示部、１２・・・分割画像選択部、８０・・・水平垂直アドレス乗算部、８１・・・水平垂直アドレス補間部、８２・・・分割画像アドレス分配部、８３〜８５・・・アドレス分割部
【図１】
2008085474.tif 000003
【図２】
2008085474.tif 000004
【図３】
2008085474.tif 000005
【図４】
2008085474.tif 000006
【図５】
2008085474.tif 000007
【図６】
2008085474.tif 000008
【図７】
2008085474.tif 000009
【図８】
2008085474.tif 000010
【図９】
2008085474.tif 000011
【図１０】
2008085474.tif 000012
【図１１】
2008085474.tif 000013